(57)【要約】【課題】一般給湯先への給湯が停止されているときでも浴槽への給湯温度を安定させ易い貯湯式給湯機を得ること。【解決手段】貯湯タンク内の湯を出湯側が二股分岐した給湯管路により一般給湯混合弁と風呂給湯混合弁とに供給すると共に、水源からの水を出水側が二股分岐した給水管路により一般給湯混合弁と風呂給湯混合弁とに供給し、一般給湯混合弁および風呂給湯混合弁の開度を制御装置により別個に調整して一般給湯先への給湯温度と浴槽への給湯温度とを制御する貯湯式給湯機を構成するにあたり、一般給湯先への給湯停止中に浴槽に給湯するときには、風呂給湯混合弁の開度に応じて一般給湯混合弁の開度を調整して、一般給湯混合弁を通って前記風呂給湯混合弁に達する湯や水の回り込みを抑える。【選択図】        図６
2010175198.tif 000002
【特許請求の範囲】
【請求項１】
貯湯タンク内の湯を出湯側が二股分岐した給湯管路により一般給湯混合弁と風呂給湯混合弁とに供給すると共に、水源からの水を出水側が二股分岐した給水管路により前記一般給湯混合弁と前記風呂給湯混合弁とに供給し、前記一般給湯混合弁および前記風呂給湯混合弁の開度を制御装置により別個に調整して、前記一般給湯混合弁から一般給湯先への給湯温度と前記風呂給湯混合弁から浴槽への給湯温度とを制御する貯湯式給湯機であって、
前記制御装置は、前記一般給湯先への給湯停止中に前記浴槽に給湯するときには、前記風呂給湯混合弁の開度に応じて前記一般給湯混合弁の開度を調整することを特徴とする貯湯式給湯機。
【請求項２】
前記制御装置は、前記一般給湯先への給湯停止中に前記浴槽に給湯するにあたって前記風呂給湯混合弁での水の混合比率が湯の混合比率よりも高くなるように該風呂給湯混合弁の開度を調整するときには、前記一般給湯混合弁での水の混合比率が湯の混合比率よりも高くなるように該一般給湯混合弁の開度を調整することを特徴とする請求項１に記載の貯湯式給湯機。
【請求項３】
前記制御装置は、前記一般給湯先への給湯停止中に前記浴槽に給湯するにあたって前記風呂給湯混合弁での湯の混合比率が水の混合比率よりも高くなるように該風呂給湯混合弁の開度を調整するときには、前記一般給湯混合弁での湯の混合比率が水の混合比率よりも高くなるように該一般給湯混合弁の開度を調整することを特徴とする請求項１または２に記載の貯湯式給湯機。
【請求項４】
前記制御装置は、
前記浴槽への給湯開始時に前記風呂給湯混合弁での水の混合比率が第１の混合比率より高くなるように該風呂給湯混合弁の開度を調整するときには、前記一般給湯混合弁での水の混合比率が第１の設定値となるように該一般給湯混合弁の開度を調整し、
前記浴槽への給湯開始時に前記風呂給湯混合弁での水の混合比率が前記第１の混合比率以下になるように該風呂給湯混合弁の開度を調整するときには、前記一般給湯混合弁での水の混合比率が前記第１の設定値よりも低い第２の設定値となるように該一般給湯混合弁の開度を調整し、
前記風呂給湯混合弁での水の混合比率が前記浴槽への給湯中に前記第１の混合比率より高い値から前記第１の混合比率以下の値に変化したときには、前記一般給湯混合弁の開度を前記第１の設定値に対応した開度から前記第２の設定値に対応した開度に調整し、
前記風呂給湯混合弁での水の混合比率が前記浴槽への給湯中に前記第１の混合比率以下の値から前記第１の混合比率より高い値に変化したときには、該水の混合比率が前記第１の混合比率より高い第２の混合比率になるまでは前記一般給湯混合弁の開度を前記第２の設定値に保ち、前記風呂給湯混合弁での水の混合比率が前記第２の混合比率以上になったときには前記一般給湯混合弁の開度を前記第１の設定値に対応した開度に調整する、
ことを特徴とする請求項１〜３のいずれか１つに記載の貯湯式給湯機。
【請求項５】
前記制御装置は、前記浴槽への給湯停止後に、前記一般給湯混合弁の開度を前記一般給湯先への給湯温度に対応した開度に調整すること特徴とする請求項１〜４のいずれか１つに記載の貯湯式給湯機。
【発明の詳細な説明】
【技術分野】
【０００１】
本発明は、貯湯式給湯機に関するものである。
【背景技術】
【０００２】
貯湯タンクに貯留した湯を該貯湯タンクから所定の給湯先に供給する貯湯式給湯機では、貯湯タンクからの湯と水道等の水源からの水とを混合弁に導き、該混合弁の開度を制御装置により制御して、給湯先での給湯温度をユーザの設定温度に調整する。上記の混合弁は給湯先への給湯が終わるたびに水側全開または湯側全閉にされるというものではなく、例えば特許文献１に記載された貯湯式給湯機（給湯システム）におけるように、次回の給湯時に給湯温度が安定するよう、給湯停止後も所定の開度（以下、「安定給湯開度」という）に保たれる。
【０００３】
近年では、例えば特許文献２に記載された貯湯式給湯機（自動給湯装置）のように、ユーザが給湯栓を操作する一般給湯先（台所等）と給湯栓が不要な浴槽とに給湯可能な貯湯式給湯機が一般的になってきている。このような貯湯式給湯機では、出湯側が二股分岐した給湯管路により貯湯タンク内の湯が一般給湯先用の混合弁（以下、「一般給湯混合弁」という）と風呂給湯用の混合弁（以下、「風呂給湯混合弁」という）とに導かれる。また、出水側が二股分岐した給水管路により水源からの水が上記の一般給湯混合弁と風呂給湯混合弁とに導かれる。そして、一般給湯先への給湯温度に応じて一般給湯混合弁の開度が制御され、浴槽への給湯温度に応じて風呂給湯混合弁の開度が制御される。
【先行技術文献】
【特許文献】
【０００４】
【特許文献１】特開２００８−１６４２８６号公報
【特許文献２】特開２００８−２６７６９２号公報
【発明の概要】
【発明が解決しようとする課題】
【０００５】
しかしながら、二股分岐した給湯管路と給水管路とが一般給湯混合弁と風呂給湯混合弁とに接続された従来の貯湯式給湯機では、一般給湯先への給湯停止後に一般給湯混合弁の開度を安定給湯開度に保っておくと、浴槽への給湯時に貯湯タンク内の湯や水源からの水が一般給湯混合弁を通って風呂給湯混合弁に回り込み、浴槽への給湯温度が不安定になることがある。
【０００６】
本発明は上記の事情に鑑みてなされたものであり、一般給湯先への給湯が停止されているときでも浴槽への給湯温度を安定させ易い貯湯式給湯機を得ることを目的とする。
【課題を解決するための手段】
【０００７】
本発明の貯湯式給湯機は、貯湯タンク内の湯を出湯側が二股分岐した給湯管路により一般給湯混合弁と風呂給湯混合弁とに供給すると共に、水源からの水を出水側が二股分岐した給水管路により一般給湯混合弁と風呂給湯混合弁とに供給し、一般給湯混合弁の開度と風呂給湯混合弁の開度とを制御装置により別個に調整して、一般給湯混合弁から一般給湯先への給湯温度と風呂給湯混合弁から浴槽への給湯温度とを制御する貯湯式給湯機であって、制御装置は、一般給湯先への給湯停止中に浴槽に給湯するときには、風呂給湯混合弁の開度に応じて一般給湯混合弁の開度を調整する。
【発明の効果】
【０００８】
本発明の貯湯式給湯機では、一般給湯先への給湯停止中に浴槽に給湯するときには風呂給湯混合弁の開度に応じて一般給湯混合弁の開度を調整し、一般給湯混合弁を通って風呂給湯混合弁に達する湯や水の回り込みを抑えるので、浴槽への給湯温度を安定させ易い。
【図面の簡単な説明】
【０００９】
【図１】図１は、本発明の貯湯式給湯機の一例を示す概略図である。
【図２】図２は、図１に示した貯湯式給湯機での制御装置と該制御装置に接続された構成要素とを概略的に示すブロック図である。
【図３】図３は、本発明の貯湯式給湯機で一般給湯先への給湯停止中に浴槽に給湯するときにおける風呂給湯混合弁の開度と一般給湯混合弁の開度との対応関係の一例を示すグラフである。
【図４】図４は、一般給湯先への給湯停止中に浴槽に給湯するときにおける風呂給湯混合弁への湯と水の回り込みの一例を示す概略図である。
【図５】図５は、一般給湯先への給湯停止中に浴槽に給湯するときにおける風呂給湯混合弁の開度と一般給湯混合弁での開度と浴槽への給湯温度との関係の一例を示すグラフである。
【図６】図６は、本発明の貯湯式給湯機で一般給湯先への給湯停止中に浴槽に給湯するときにおける一般給湯混合弁および風呂給湯混合弁それぞれの開度調整の手順の一例を示すフローチャートである。
【発明を実施するための形態】
【００１０】
以下、本発明の貯湯式給湯機の実施の形態について、図面を参照して詳細に説明する。なお、本発明は下記の形態に限定されるものではない。
【００１１】
図１は、本発明の貯湯式給湯機の一例を示す概略図である。同図に示す貯湯式給湯機１３０は、熱源機で沸き上げた湯を貯湯タンクに貯留し、ここから一般給湯先１５０と浴槽１６０とに湯を供給する機能を有するものであり、ヒートポンプユニット１０と給湯機本体１１０とリモートコントローラ１２０とを備えている。以下、貯湯式給湯機１３０の各構成要素について説明する。
【００１２】
上記のヒートポンプユニット１０は、冷媒を圧縮する圧縮機と、放熱器に相当する沸上げ用熱交換器と、膨張弁と、蒸発器と、これらを環状に接続する循環配管とを有する冷凍サイクル部（図示せず）を備え、後述する制御装置１００による制御の下に動作して熱源機として機能する。上記の冷凍サイクル部では、二酸化炭素等の冷媒が圧縮機で圧縮されて高温、高圧となった後に沸上げ用熱交換器で放熱し、膨張弁で減圧され、蒸発器で吸熱してガス状態となって圧縮機に吸入される。
【００１３】
一方、給湯機本体１１０は、貯湯タンク２０、給水管路３０、貯湯用循環管路４０、給湯管路５０、一般給湯混合弁６５、風呂給湯混合弁７０、一般用給湯管路８０、風呂用給湯管路９０、および制御装置１００等を有している。
【００１４】
上記の貯湯タンク２０は、給水管路３０から供給される水を貯留すると共にヒートポンプユニット１０で沸き上げられた湯を貯留する積層式の貯湯タンクであり、その下部には給水管路３０と貯湯用循環管路４０の往き管４０ａが、また上部には貯湯用循環管路４０の戻り管４０ｂと給湯管路５０がそれぞれ接続されている。この貯湯タンク２０は、給水管路３０からの給水により常に満水状態に保たれる。
【００１５】
貯湯タンク２０の上部には、貯湯タンク２０から給湯管路５０に流入する湯の温度を検知するためのタンク温度センサ２０ａが取り付けられている。また、貯湯タンク２０の周面部には、貯湯タンク２０内の湯の温度を検知するための複数の沸上げ温度センサ（図示せず）が互いに異なる取付け高さをもって取り付けられている。
【００１６】
給水管路３０は、市水等の水を貯湯タンク２０、一般給湯混合弁６５、風呂給湯混合弁７０、および一般給湯先１５０に供給する管路であり、減圧弁２３、給水温度センサ２５、第１逆止弁２７、第１給水管部３０ａ、第２給水管部３０ｂ、および第３給水管部３０ｃを有している。減圧弁２３は、第１給水管部３０ａの途中に設けられて、水道等の水源（図示せず）からの水圧を所定値に減じる。給水温度センサ２５は、第１給水管部３０ａでの減圧弁２３の上流側に設けられて、該第１給水管部３０ａ内の水の温度を検知する。第１逆止弁２７は、第２給水管部３０ｂでの出水口側に配置されて、当該第２給水管部２０ｂでの水の逆流を防止する。
【００１７】
また、上記の第１給水管部３０ａは水源と貯湯タンク２０とを繋ぐ。第２給水管部３０ｂは、本発明でいう出水側が二股分岐した給水管路に相当し、減圧弁２３の下流側で第１給水管部３０ａから分かれて該第１給水管部３０ａと一般給湯混合弁６５および風呂給湯混合弁７０の各々とを繋ぐ。第３給水管部３０ｃは、減圧弁２３の上流側で第１給水管部３０ａから分かれて該第１給水管部３０ａと一般給湯先１５０とを繋ぐ。第２給水管部３０ｂでの二股分岐箇所の上流側に第１逆止弁２７が設けられている。なお、図１には、一般給湯先１５０として１つの給湯栓が示されている。一般給湯先１５０には、サーモスタット付き混合水栓やシャワー等が接続されていてもよい。
【００１８】
貯湯用循環管路４０は、貯湯タンク２０の下部からヒートポンプユニット１０中の沸上げ用熱交換器を経由して貯湯タンク２０の上部に達する管路であり、貯湯用送水ポンプ３５、往き管４０ａ、および戻り管４０ｂを有している。貯湯用送水ポンプ３５は往き管４０ａに設けられており、該往き管４０ａは貯湯タンク２０の下部と上記沸上げ用熱交換器とを繋ぐ。戻り管４０ｂは、上記沸上げ用熱交換器と貯湯タンク２０の上部とを繋ぐ。
【００１９】
給湯管路５０は、本発明でいう出湯側が二股分岐した給湯管路に相当し、二股分岐箇所の上流側に第２逆止弁４５を有している。この給湯管路５０は、入湯側が貯湯タンク２０の上部に接続され、二股分岐した出湯側での一方の流路が一般給湯混合弁６５に、また他方の流路が風呂給湯混合弁７０にそれぞれ接続されて、貯湯タンク２０内の湯を一般給湯混合弁６５と風呂給湯混合弁７０とに導く。第２逆止弁４５は、給湯管路５０での上記分岐箇所の上流側に設けられている。
【００２０】
膨張水排出管路６０は、給湯管路５０での入湯側の端部で該給湯管路５０から分かれて排出口（図示せず）に接続されており、この膨張水排出管路６０の途中に圧力逃し弁５５が取り付けられている。圧力逃し弁５５は、湯の沸上げにより貯湯タンク２０内の湯水が体積膨張を起こして当該貯湯タンク２０の内圧が所定圧力を超えたときに開弁し、体積膨張により生じた膨張水（余剰水）を膨張水排出管路６０から排出口へと排出して貯湯タンク２０の内圧過上昇を防止する。
【００２１】
一般給湯混合弁６５は電動式の弁であり、制御装置１００により開度を調整されて、第２給水管部３０ｂから供給される水と給湯管路５０から供給される湯とを所定の混合比の下に混合する。同様に、風呂給湯混合弁７０も電動式の弁であり、制御装置１００により開度を調整されて、第２給水管部３０ｂから供給される水と給湯管路５０から供給される湯とを所定の混合比の下に混合する。これら一般給湯混合弁６５と風呂給湯混合弁７０とは、制御装置１００により互いに別個に開度を制御することができるものであればよく、その構造は一体型、独立型等、適宜選定可能である。
【００２２】
一般用給湯管路８０は、一般用流量センサ７３と一般用温度センサ７５とを有しており、一般給湯混合弁６５と一般給湯先１５０とを繋ぐ。一般用流量センサ７３は一般用給湯管路８０での流量を検知し、一般用温度センサ７５は一般用給湯管路８０内の湯水の温度を検知する。図示の例では、一般用流量センサ７３の下流側に一般用温度センサ７５が設けられている。
【００２３】
風呂用給湯管路９０は、電磁弁８３と、風呂用流量センサ８５と、風呂用温度センサ８７とを有しており、風呂給湯混合弁７０と浴槽１６０とを繋ぐ。電磁弁８３は、制御装置１００により開度を調整されて風呂用給湯管路９０での流量を調節し、風呂用流量センサ８５は風呂用給湯管路９０での流量を検知し、風呂用温度センサ８７は風呂用給湯管路９０内の湯水の温度を検知する。図示の例では、電磁弁８３と、風呂用流量センサ８５と、風呂用温度センサ８７とが風呂給湯混合弁７０側からこの順番で設けられている。なお、浴槽１６０内には浴槽アダプタ１５５が取り付けられ、風呂用給湯管路９０は当該浴槽アダプタ１５５に接続される。
【００２４】
制御装置１００は、リモートコントローラ１２０から受信した指令または情報と、タンク温度センサ２０ａ、各沸上げ温度センサ（図示せず）、給水温度センサ２５、一般用流量センサ７３、一般用温度センサ７５、風呂用流量センサ８５、または風呂用温度センサ８７の検知温度とに応じて、ヒートポンプユニット１０、貯湯用送水ポンプ３５、一般給湯混合弁６５、風呂給湯混合弁７０、または電磁弁８３の動作を制御する。
【００２５】
給湯機本体１１０を構成する上述の構成要素のうち、給水管路３０、貯湯用循環管路４０、膨張水排出管路６０、一般用給湯管路８０、および風呂用給湯管路９０をそれぞれ除いた残りの構成要素は、外装ケース１０５に納められている。給水管路３０、貯湯用循環管路４０、膨張水排出管路６０、一般用給湯管路８０、および風呂用給湯管路９０の各々は、その一部が外装ケース１０５の外部にまで延在している。
【００２６】
リモートコントローラ１２０は、複数の入力スイッチにより構成される操作部１１３と、液晶表示パネル等のフラットディスプレイパネルを用いて構成されて操作部１１３から入力された指令や情報、および制御装置１００から受信した運転状況等の情報等を文字、図形、キャラクタ等で視覚表示する表示部１１５と、メッセージのアナウンスや警告音の再生等を行う報知部（図示せず）と備えている。当該リモートコントローラ１２０は、制御装置１００に有線接続または無線接続されて、該制御装置１００と通信する。
【００２７】
図示の例では制御装置１００に１つのリモートコントローラ１２０のみが接続されているが、制御装置１００には１以上の所望数のリモートコントローラを接続することができる。また、リモートコントローラ１２０は台所や浴室等、所望の場所に設置可能である。
【００２８】
上述の各構成要素を備えた貯湯式給湯機１３０は、給水管路３０から貯湯タンク２０に給水して該貯湯タンク２０、貯湯用循環管路４０、給湯管路５０、一般用給湯管路８０、および風呂用給湯管路９０の各々が満水状態にされた後に使用に供され、貯湯タンク２０内の水を湯に沸き上げる沸上げ運転、一般給湯先１５０への給湯運転、または浴槽１６０への給湯運転を適宜行う。
【００２９】
沸上げ運転は、例えばユーザがリモートコントローラ１２０から沸上げ開始指令を入力すると、あるいはユーザがリモートコントローラ１２０から入力した沸上げ開始時刻になると、制御装置１００による制御の下にヒートポンプユニット１０および貯湯用送水ポンプ３５が起動され、開始される。ユーザは、希望する沸上げ温度および沸上げ湯量を予めリモートコントローラ１２０から入力しておく。
【００３０】
沸上げ運転が開始されると、制御装置１００は、沸上げ湯量に対応した所定の沸上げ温度センサの検知温度を監視し、該検知温度が所定温度以上になると、上記沸上げ湯量以上の湯が貯湯タンク２０に貯留されたと判断して沸上げ運転を停止させる。この間、貯湯タンク２０の下部から貯湯用循環管路４０の往き管４０ａに水が流入し、ヒートポンプユニット１０内の沸上げ用熱交換器に通水されて該沸上げ用熱交換器で湯に沸き上げられる。沸上げ用熱交換器で沸き上げられた湯は、貯湯用循環管路４０の戻り管４０ｂを通って貯湯タンク２０の上部から貯湯タンク２０内に戻される。
【００３１】
一方、一般給湯先１５０への給湯運転は、一般給湯先１５０をユーザが開栓して一般用流量センサ７３が所定流量以上の水流を検知すると、制御装置１００による制御の下に開始される。当該給湯運転では、タンク温度センサ２０ａの検知温度と、給水温度センサ２５の検知温度と、ユーザがリモートコントローラ１２０から入力した給湯温度に係る情報とに基づき、制御装置１００が一般給湯混合弁６５の開度（給湯管路５０側の弁開度および第２給水管部３０ｂ側の弁開度）を調整して、給湯管路５０からの湯と第２給水管部３０ｂからの水との混合比を調整する。そして、一般用温度センサ７５の検知温度に基づいて制御装置１００が一般給湯混合弁６５の開度を繰り返しフィードバック制御して、一般給湯先１５０での給湯温度をユーザの設定温度に調整する。
【００３２】
一般給湯先１５０への給湯運転は、ユーザが一般給湯先１５０を閉栓して一般用流量センサ７３が所定流量以上の水流を検知しなくなると停止する。このとき、制御装置１００は、一般給湯先１５０に同じ給湯温度で断続的に給湯するときでも給湯温度が安定するように、予め定められた時間（以下、「一般給湯待機時間」という）に亘って、一般給湯混合弁６５での開度を上記の給湯温度に対応した開度（以下、「安定給湯開度」という）に保つ。当該一般給湯待機時間が経過すると、一般給湯混合弁６５の開度を予め定められた初期開度に調整する。なお、図１においては、一般給湯先１５０への湯水の流れ方向を実線の矢印Ａで示している。
【００３３】
また、浴槽１６０への給湯運転は、ユーザがリモートコントローラ１２０から湯張り開始指令、差し湯指令、足し湯指令等、浴槽１６０への給湯（水である場合を含む）に係る指令を入力すると、制御装置１００が電磁弁８３に開指令を出して開始される。当該給湯運転では、タンク温度センサ２０ａの検知温度と、給水温度センサ２５の検知温度と、ユーザがリモートコントローラ１２０から入力した湯張り温度、差し湯温度、足し湯温度等の温度情報に基づき、制御装置１００が風呂給湯混合弁７０の開度（給湯管路５０側の弁開度および第２給水管部３０ｂ側の弁開度）を調整して、給湯管路５０からの湯と第２給水管部３０ｂからの水との混合比を調整する。そして、風呂用温度センサ８７の検知温度に基づいて制御装置１００が風呂給湯混合弁７０の開度を繰り返しフィードバック制御して、浴槽１６０への給湯温度をユーザの設定温度に調整する。
【００３４】
一般給湯先１５０への給湯停止中に浴槽１６０に給湯するときには、風呂給湯混合弁７０の開度に応じて、制御装置１００が一般給湯混合弁６５の開度を調整する。このときの一般給湯混合弁６５の開度（以下、「指定待機開度」という）は、貯湯式給湯機１３０のメーカにより予め定められる。指定待機開度については、後に詳述する。
【００３５】
浴槽１６０への給湯運転は、風呂用流量センサ８５の検知結果が湯張り湯量、差し湯湯量、または足し湯湯量等に達すると、あるいはリモートコントローラ１２０から浴槽１６０への給湯の停止を指示する指令が入力されると、制御装置１００が電磁弁８３に閉指令を出して停止する。上記の湯張り湯量、差し湯湯量、足し湯湯量等の給湯量情報は、リモートコントローラ１２０からユーザにより予め入力される。図１においては、浴槽１６０への湯水の流れ方向を実線の矢印Ｂで示している。また、浴槽１６０内の浴水を参照符号１６０ａで示している。
【００３６】
上述のようにして一般給湯先１５０および浴槽１６０へ給湯運転を行う貯湯式給湯機１３０は、一般給湯先１５０への給湯停止中に浴槽１６０に給湯するときにおける一般給湯混合弁６５の開度調整に特徴を有しているので、以下、制御装置１００の構成および上記一般給湯混合弁６５の開度調整について図２〜図６を参照して詳述する。
【００３７】
図２は、図１に示した貯湯式給湯機での制御装置と該制御装置に接続された構成要素とを概略的に示すブロック図である。同図に示すように、貯湯式給湯機１３０（図１参照）の制御装置１００は、送受信処理部９１、制御部９３、および記憶部９５を有しており、ヒートポンプユニット１０、タンク温度センサ２０ａ、給水温度センサ２５、貯湯用送水ポンプ３５、一般給湯混合弁６５、風呂給湯混合弁７０、一般用流量センサ７３、一般用温度センサ７５、電磁弁８３、風呂用流量センサ８５、風呂用温度センサ８７、およびリモートコントローラ１２０に接続されている。図２では図示を省略しているが、制御装置１００は、前述した沸上げ温度センサの各々にも接続されている。
【００３８】
制御装置１００を構成する上記の送受信処理部９１は、ヒートポンプユニット１０への指令の送信に係る処理、リモートコントローラ１２０からの指令や情報の受信および振り分けに係る処理、およびリモートコントローラ１２０への情報（例えば運転状況等）の送信に係る処理を行う。
【００３９】
制御部９３は、送受信処理部９１が振り分けてきたリモートコントローラ１２０からの指令や情報と、貯湯式給湯機１３０を構成する各センサの検知結果とに基づいて、沸上げ運転および給湯運転を総括的に制御する。また、上記各センサの検知結果に基づいて貯湯式給湯機１３０の運転状況等に係る情報を纏め、送受信処理部９１の動作を制御して当該情報をリモートコントローラ１２０宛に送信させる。これらの処理を行うために、制御部９３は、沸上げ制御部９３ａ、給湯制御部９３ｂ、および計時部９３ｃを有している。
【００４０】
上記の沸上げ制御部９３ａは、ユーザがリモートコントローラ１２０から入力して送受信処理部９１により振り分けられてきた沸上げ開始時刻、沸上げ運転時の沸上げ温度、および沸上げ運転時の沸上げ湯量に係る各情報を記憶部９５に格納する。そして、上記沸上げ開始時刻、沸上げ運転時の沸上げ温度、および沸上げ運転時の沸上げ湯量それぞれの情報と、各沸上げ温度センサ（図示せず）のうちの所定の温度センサの検知温度とを用いて、前述した沸上げ運転を制御する。
【００４１】
一方、給湯制御部９３ｂは、ユーザがリモートコントローラ１２０から入力して送受信処理部９１により振り分けられてきた一般給湯先１５０（図１参照）への給湯温度と、浴槽１６０（図１参照）への給湯温度（湯張り温度、差し湯温度、足し湯温度）に係る情報とを記憶部９５に格納する。また、ユーザがリモートコントローラ１２０から入力して送受信処理部９１により振り分けられてきた浴槽１６０（図１参照）への給湯量（湯張り湯量や足し湯湯量等）に係る情報も記憶部９５に格納する。
【００４２】
当該給湯制御部９３ｂは、上記の情報と、タンク温度センサ２０ａ、給水温度センサ２５、一般用流量センサ７３、一般用温度センサ７５、風呂用流量センサ８５、または風呂用温度センサ８７の検知結果とを用いて、前述した給湯運転を制御する。また、一般給湯先１５０への給湯が停止すると、計時部９３ｃに計時を開始させる。そして、一般給湯先１５０への給湯停止後、前述した一般給湯待機時間が経過するまでの間に浴槽１６０に給湯するときには、風呂給湯混合弁７０の開度に応じて一般給湯混合弁６５の開度を調整して、一般給湯混合弁６５を通って風呂給湯混合弁７０に達する湯や水の回り込みを抑える。具体的には、風呂給湯混合弁７０の開度と一般給湯混合弁６５の安定給湯開度とに応じて一般給湯混合弁６５の開度を前述の指定待機開度に調整して、一般給湯混合弁６５を通って風呂給湯混合弁７０に達する湯や水の回り込みを抑える。一般給湯待機時間が経過するまでの間に浴槽１６０に給湯が行われなかったときには、一般給湯混合弁６５の開度を前述の初期開度に調整する。
【００４３】
一般給湯混合弁６５の指定待機開度および初期開度、ならびに上記の一般給湯待機時間については、貯湯式給湯機１３０のメーカにより予め定められて、これらの情報が記憶部９５に格納される。また、一般給湯混合弁６５の指定待機開度を変更させる契機となる風呂給湯混合弁７０の開度に係る情報も、貯湯式給湯機１３０のメーカにより予め定められて記憶部９５に格納される。以下、一般給湯先１５０への給湯停止中に浴槽１６０に給湯するときにおける一般給湯混合弁６５の開度調整について、図３を参照して詳述する。
【００４４】
図３は、一般給湯先への給湯停止中に浴槽に給湯するときにおける風呂給湯混合弁の開度と一般給湯混合弁の開度との対応関係の一例を示すグラフである。図示の例では、一般給湯混合弁６５（図１参照）の開度（指定待機開度）として、中間開度よりも水側全開に近い第１指定待機開度γと、中間開度よりも湯側全開に近い第２指定待機開度δとが設定されている。第１指定待機開度γは、一般給湯混合弁６５での水の混合比率が第１の設定値となる開度であり、第２指定待機開度δは、一般給湯混合弁６５での水の混合比率が上記第１の設定値よりも低い第２の設定値となる開度である。
【００４５】
一般給湯混合弁６５の開度は、浴槽１６０（図１参照）への給湯開始時における風呂給湯混合弁７０（図１参照）の開度が「β」未満のときには、制御装置１００の給湯制御部９３ｂにより第１指定待機開度γに調整され、浴槽１６０への給湯開始時における風呂給湯混合弁７０の開度が「β」以上のときには、給湯制御部９３ｂにより第２指定待機開度δに調整される。風呂給湯混合弁７０の開度が「β」であるときの風呂給湯混合弁７０での水の混合比率は、一般給湯混合弁６５の指定待機開度を変更させる契機となる第１の混合比率に相当する。当該開度「β」および「第１の混合比率」の値は、貯湯式給湯機１３０（図１参照）のメーカにより予め定められて記憶部９５（図２参照）に格納される。
【００４６】
また、浴槽１６０への給湯温度を給湯制御部９３ｂがフィードバック制御する過程で、風呂給湯混合弁７０での水の混合比率が上記第１の混合比率を超える値から上記第１の混合比率以下の値に変化したときには、給湯制御部９３ｂによって一般給湯混合弁６５の開度が第１指定待機開度γから第２指定待機開度δに調整される。
【００４７】
逆に、浴槽１６０への給湯温度を給湯制御部９３ｂがフィードバック制御する過程で、風呂給湯混合弁７０での水の混合比率が上記第１の混合比率以下の値から上記第１の混合比率を超える値に変化したときには、当該水の混合比率が第１の混合比率より高い第２の混合比率になるまでは、一般給湯混合弁６５の開度が給湯制御部９３ｂにより第２指定待機開度δに保たれる。そして、風呂給湯混合弁での水の混合比率が上記第２の混合比率を超えると、一般給湯混合弁６５の開度が給湯制御部９３ｂにより第１指定待機開度γに調整される。このように一般給湯混合弁６５の指定待機開度を調整することにより、該一般給湯混合弁６５の開度にハンチングが生じるのを防止する。
【００４８】
なお、図３中に示す風呂給湯混合弁７０での開度「α」での水の混合比率が上記第２の混合比率に相当する。これら開度「α」および第２の混合比率は、貯湯式給湯機１３０のメーカにより予め定められて記憶部９５に格納される。
【００４９】
貯湯式給湯機１３０は、風呂給湯混合弁７０の開度に応じて一般給湯混合弁６５の開度を給湯制御部９３ｂにより上述のように調整することで、一般給湯先１５０への給湯停止中に浴槽１６０に給湯したときに湯や水が一般給湯混合弁６５を通って風呂給湯混合弁７０に回り込んでしまうのを防止する。
【００５０】
図４は、浴槽への給湯時における風呂給湯混合弁への湯や水の回り込みの一例を示す概略図である。同図は、一般給湯先１５０（図１参照）への給湯停止中に浴槽１６０（図１参照）に給湯したときに生じる湯や水の回り込みを示している。
【００５１】
例えば、浴槽１６０内の浴水１６０ａ（図１参照）の温度を下げる（温くする）ために浴槽１６０へ水を供給するときには、風呂給湯混合弁７０の開度が水側全開にされて該風呂給湯混合弁７０の出口が大気開放状態になることから、給湯管路５０内の湯との間で圧力差が生じる。このとき、風呂給湯混合弁７０での湯側は閉弁されてはいるものの、一般給湯混合弁６５での湯側の弁は該一般給湯混合弁６５を安定給湯開度に保っていることから開状態になっている。
【００５２】
そのため、図４中に一点鎖線の矢印ＢH2で示すように、給湯管路５０からの湯が一般給湯混合弁６５を通って風呂給湯混合弁７０に回り込み、風呂用給湯管路９０に流入する。結果として、リモートコントローラ１２０（図１参照）から水の供給を指示したにも拘わらず浴槽１６０に温湯が供給されて、浴水１６０ａがなかなか温くならないといった事態になることがある。
【００５３】
同様のことが、浴水１６０ａの温度を上げるために浴槽１６０に高温の差し湯を供給するときにも起こる。この場合には、図４中に破線の矢印ＢC2で示すように、第２給水管部３０ｂからの水が一般給湯混合弁６５を通って風呂給湯混合弁７０に回り込み、風呂用給湯管路９０に流入する。なお、図４中の実線の矢印ＢH1は、給湯管路５０から風呂給湯混合弁７０に直接流入して風呂用給湯管路９０に流出する湯の流れを示しており、実線の矢印ＢC1は、第２給水管部３０ｂから風呂給湯混合弁７０に直接流入して風呂用給湯管路９０に流出する水の流れを示しており、参照符号「８０」は一般用給湯管路を示している。
【００５４】
図４に示したような湯の回り込みや水の回り込みは、例えば給湯管路５０から第２給水管部３０ｂへの水の流入および第２給水管部３０ｂから給湯管路５０への水の流入を逆止弁のようなもので遮断するといった方法でも防止可能である。ただし、機械的手段により湯や水の回り込みを防止した場合には、当該機械的手段が経年劣化にしたときに部品の交換が必要になったり、給湯機本体１１０（図１参照）の小型化を図り難くなったりする。また、上述した湯や水の回り込みは、一般給湯先１５０（図１参照）への給湯停止後に一般給湯混合弁６５を水側全開または湯側全開にしても防止することができる。ただし、一般給湯混合弁６５を水側全開または湯側全開にしておくと、一般給湯先１５０への次回の給湯時の初期に、給湯温度にボトムやピークが過渡的に生じて給湯温度が不安定になる。
【００５５】
部品交換のコスト、給湯機本体１１０の小型化、一般給湯先１５０での給湯温度の安定性等を考慮すると、一般給湯先１５０への給湯停止中に浴槽１６０に給湯した際に生じる上述の湯や水の回り込みは、風呂給湯混合弁７０の開度に応じて一般給湯混合弁６５の開度を調整して防止することが好ましい。
【００５６】
図５は、一般給湯先への給湯停止中に浴槽に給湯するときにおける風呂給湯混合弁の開度と一般給湯混合弁での開度と浴槽への給湯温度（風呂給湯温度）との関係の一例を示すグラフである。同図中の実線は、一般給湯混合弁６５（図１参照）の開度を図３に示した第１指定待機開度γまたは第２指定待機開度δに調整して浴槽１６０へ給湯したときの風呂給湯混合弁７０（図１参照）の開度と風呂給湯温度との関係を示している。また、同図中の一点鎖線は、一般給湯混合弁６５の開度を中間開度にして浴槽１６０へ給湯したときの風呂給湯混合弁７０の開度と風呂給湯温度との関係を示しており、同図中の二点鎖線は、一般給湯混合弁６５の開度を水側全開または湯側全開にして浴槽１６０へ給湯したときの風呂給湯混合弁７０の開度と風呂給湯温度との関係を示している。
【００５７】
図５から明らかなように、風呂給湯温度を所定の温度に制御するうえからは、一般給湯混合弁６５の開度を水側全開または湯側全開にしておくことが好ましいが、一般給湯混合弁６５の開度をこのように制御すると、前述したように、一般給湯先１５０（図１参照）に断続的に給湯する際の次回の給湯時に給湯温度が不安定になる。浴槽１６０への給湯温度（風呂給湯温度）および一般給湯先１５０への給湯温度の各々を安定化させるという観点からは、一般給湯先１５０への給湯停止中に一般給湯混合弁６５の開度を中間開度、水側全開、または湯側全開にして浴槽１６０への給湯を行うよりも、図３に示した第１指定待機開度γまたは第２指定待機開度δにして浴槽１６０への給湯を行う方が好ましい。
【００５８】
勿論、一般給湯先１５０への給湯停止中に浴槽１６０に給湯するにあたって、給湯開始時に一般給湯混合弁６５の開度を水側全開または湯側全開にし、浴槽１６０への給湯停止後に一般給湯混合弁６５の開度を前述の安定給湯開度や初期開度に調整するという制御を行っても、浴槽１６０への給湯温度（風呂給湯温度）を安定化させることができる。
【００５９】
図１に示した貯湯式給湯機１３０は、一般給湯先１５０への給湯停止中に浴槽１６０に給湯するときに、風呂給湯混合弁７０の開度に応じて一般給湯混合弁６５の開度を調整するので、一般給湯混合弁６５と風呂給湯混合弁７０とが互いに連通するように構成しても、浴槽１６０への給湯時に湯や水が一般給湯混合弁６５を通って風呂給湯混合弁７０に回り込んでしまうのを防止することができる。したがって、一般給湯先１５０への給湯が停止されているときでも浴槽１６０への給湯温度を安定させ易い。一般給湯混合弁６５の指定待機開度は、浴槽１６０への給湯温度および一般給湯先１５０への給湯温度それぞれの安定性、ならびに一般給湯混合弁６５の性能等を勘案して適宜選定される。
【００６０】
一般給湯先１５０への給湯停止中に浴槽１６０に給湯するときにおける一般給湯混合弁６５の開度を調整するための手順は、特に限定されるものではなく、種々の手順を採用することができる。以下、図１または図２で用いた参照符号を適宜引用しつつ図６を参照して、上記の手順の一例を具体的に説明する。
【００６１】
図６は、一般給湯先への給湯停止中に浴槽に給湯するときにおける一般給湯混合弁および風呂給湯混合弁それぞれの開度調整の手順の一例を示すフローチャートである。図示の例では、貯湯式給湯機１３０の制御装置１００（図１参照）がステップＳ１〜Ｓ１１の処理を繰り返し行って、一般給湯混合弁６５および風呂給湯混合弁７０（図１参照）それぞれの開度を制御する。
【００６２】
最初に行われるステップＳ１は、一般給湯先１５０への給湯および浴槽１６０（図１参照）への給湯の各々が一定時間以上停止されている初期状態下で始められる。このステップＳ１では、一般用流量センサ７３（図１参照）の検知結果に基づいて、一般給湯先１５０への給湯（以下、「一般給湯」と略記する）が行われているか否かを制御装置１００の給湯制御部９３ｂ（図２参照）が判断する。当該ステップＳ１で一般給湯が行われていないと判断されたときには該ステップＳ１を繰り返し、一般給湯が行われていると判断されたときにはステップＳ２に進む。
【００６３】
ステップＳ２では、記憶部９５（図２参照）に格納されている上記給湯温度に係る情報と、タンク温度センサ２０ａ、給水温度センサ２５、および一般用温度センサ７５（図１参照）それぞれの検知温度とを用いて、一般給湯先１５０への給湯温度がユーザによる設定温度となるように給湯制御部９３ｂが一般給湯混合弁６５の開度を調整する。
【００６４】
次いで行われるステップＳ３では、一般用流量センサ７３の検知結果に基づいて、一般給湯が停止されたか否かを給湯制御部９３ｂが判断する。このステップＳ３で一般給湯が停止されていないと判断されたときにはステップＳ２に戻って該ステップＳ２以降を繰り返すことで一般給湯先１５０への給湯温度をフィードバック制御し、一般給湯が停止されたと判断されたときには、給湯制御部９３ｂが計時部９３ｃ（図２参照）に計時を開始させてステップＳ４に進む。
【００６５】
ステップＳ４では、記憶部９５に格納されている一般給湯先１５０（図１参照）への給湯温度に係る情報に基づいて、給湯制御部９３ｂが一般給湯混合弁６５の開度を安定給湯開度に調整する。あるいは、ステップＳ２で調整した一般給湯混合弁６５の開度に係る情報を給湯制御部９３ｂが記憶部９５（図２参照）に格納し、該情報に基づいて、ステップＳ４で給湯制御部９３ｂが一般給湯混合弁６５の開度を安定給湯開度に調整するように貯湯式給湯機１３０（図１参照）を構成してもよい。
【００６６】
次いで行われるステップＳ５では、一般給湯待機時間が経過したか否かを計時部９３ｃの計時結果に基づいて給湯制御部９３ｂが判断する。このステップＳ５で一般給湯待機時間が経過したと判断されたときには給湯制御部９３ｂが計時部９３ｃの計時結果をクリアしてステップＳ６に進み、一般給湯待機時間が経過していないと判断されたときにはステップＳ７に進む。
【００６７】
ステップＳ６では、給湯制御部９３ｂが一般給湯混合弁６５の開度を初期開度に調整して、一般給湯混合弁６５の開度調整を一旦終了し、前述した初期状態に戻る。一方、ステップＳ７では、浴槽１６０への給湯（以下、「風呂給湯」と略記する）が行われているか否かを給湯制御部９３ｂが判断する。この判断は、例えば給湯制御部９３ｂが電磁弁８３に開指令を出したか否かに基づいて行われる。当該ステップＳ７で風呂給湯が行われていないと判断されたときには後述するステップＳ１１に進み、風呂給湯が行われていると判断されたときにはステップＳ８に進む。
【００６８】
ステップＳ８では、浴槽１６０への給湯温度がユーザによる設定温度となるよう、記憶部９５（図２参照）に格納されている浴槽１６０への給湯温度に係る情報と、タンク温度センサ２０ａ、給水温度センサ２５、および風呂用温度センサ８７（図１参照）それぞれの検知温度とを用いて、給湯制御部９３ｂが風呂給湯混合弁７０の開度を調整する。
【００６９】
次いで行われるステップＳ９では、風呂給湯混合弁７０の開度と、記憶部９５に格納されている指定待機開度に係る情報と、指定待機開度に対応する風呂給湯混合弁７０の開度および該開度での水の混合比率に係る情報とに基づいて、給湯制御部９３ｂが一般給湯混合弁６５の開度を指定待機開度に調整する。その結果として、湯や水が一般給湯混合弁６５を通って風呂給湯混合弁７０側に回り込んでしまうことが抑えられて、浴槽１６０への給湯温度が安定する。
【００７０】
次いで行われるステップＳ１０では、風呂給湯が停止されたか否かを給湯制御部９３ｂが判断する。この判断は、例えば給湯制御部９３ｂが電磁弁８３に閉指令を出したか否かに基づいて行われる。当該ステップＳ１０で風呂給湯が停止されていないと判断されたときにはステップＳ８に戻って該ステップＳ８以降を繰り返すことで浴槽１６０への給湯温度をフィードバック制御し、風呂給湯が停止されたと判断されたときには風呂給湯混合弁７０の開度を初期状態に調整して前述のステップＳ４に戻り、該ステップＳ４以降を繰り返す。
【００７１】
一方、前述したステップＳ７で風呂給湯が行われていないと判断されてステップＳ１１に進んだときには、ステップＳ１におけるのと同様にして、一般給湯が行われているか否かを給湯制御部９３ｂが判断する。このステップＳ１１で一般給湯が行われていないと判断されたときにはステップＳ４に戻って該ステップＳ４以降を繰り返し、一般給湯が行われていると判断されたときにはステップＳ２に戻って該ステップＳ２以降を繰り返す。
【００７２】
以上、本発明の貯湯式給湯機について実施の形態を挙げて説明したが、前述のように、本発明は上記の形態に限定されるものではない。本発明の貯湯式給湯機は、貯湯タンク内の湯を出湯側が二股分岐した給湯管路により一般給湯混合弁と風呂給湯混合弁とに供給すると共に、水源からの水を出水側が二股分岐した給水管路により一般給湯混合弁と風呂給湯混合弁とに供給し、一般給湯混合弁から一般給湯先への給湯停止中に風呂給湯混合弁から浴槽に給湯するときには一般給湯混合弁の開度を調整して、上述した湯や水の回り込みを抑えるものであれば基本的によい。一般給湯混合弁の開度を調整して湯や水の回り込みを防止する機能以外は適宜変更可能である。
【００７３】
例えば、水を湯に沸き上げる熱源機としては、ヒートポンプユニット以外に、電熱式のヒータやガス燃焼装置等を用いることもできる。熱源機は、その種類に応じて、貯湯タンクの外側または貯湯タンクの内側に配置される。また、貯湯タンクに貯留した湯を熱源として用いる熱交換器を設け、該熱交換器により浴槽や温水式床暖房装置で用いられて温度低下した湯を再加熱する機能を付加することもできる。
【００７４】
一般給湯混合弁の開度を調整して湯や水の回り込みを防止する機能の具体的な設定についても、適宜変更可能である。例えば、実施の形態で説明した貯湯式給湯機は、一般給湯混合弁の指定待機開度が「γ」と「δ」の２種類のものであるが、当該指定待機開度の数は３以上の所望数とすることもできる。また、各指定待機開度は固定値に限定されるものではなく、タンク温度センサ２０ａの検知温度、給水温度センサ２５の検知温度、および浴槽１６０（図１参照）への給湯温度等に応じて給湯制御部９３ｂ（図２参照）が演算により算出してもよい。
【００７５】
また、実施の形態で説明した風呂給湯混合弁での水の混合比率「α」、「β」は、湯水の回り込みを抑えるという効果をより発揮するうえからは、例えば水側全開と湯側全開との中間となる開度位置を境にして「α」を水側全開寄りに設定し、「β」を湯側全開寄りに設定することが好ましい。実施の形態で説明した一般給湯混合弁の指定待機開度「γ」、「δ」の各々に関しても同様であり、水側全開と湯側全開との中間となる開度位置を境にして「γ」を水側全開寄りに設定し、「δ」を湯側全開寄りに設定することが好ましい。
【００７６】
実施の形態では一般給湯待機時間が経過するまでの間に浴槽への給湯があったときにだけ一般給湯混合弁の開度を指定待機開度としたが、一般給湯先への給湯停止中に浴槽に給湯する場合は常に、一般給湯混合弁の開度を所定の指定待機開度に調整するように貯湯式給湯機を構成してもよい。本発明については、上述した以外にも種々の変形、修飾、組み合わせ等が可能である。
【産業上の利用可能性】
【００７７】
本発明の貯湯式給湯機は、家庭用および業務用の給湯機として好適に用いることができる。
【符号の説明】
【００７８】
１０  ヒートポンプユニット（熱源機）
２０  貯湯タンク
３０  給水管路
３０ａ  第１給水管部
３０ｂ  第２給水管部（出水側が二股分岐した給水管路）
３０ｃ  第３給水管部
４０  貯湯用循環管路
５０  給湯管路（出湯側が二股分岐した給湯管路）
６５  一般給湯混合弁
７０  風呂給湯混合弁
８０  一般用給湯管路
９０  風呂用給湯管路
９３  制御部
９３ａ  沸上げ制御部
９３ｂ  給湯制御部
９３ｃ  計時部
１００  制御装置
１１０  給湯機本体
１２０  リモートコントローラ
１３０  貯湯式給湯機
１５０  一般給湯先
１６０  浴槽
γ  第１指定待機開度
δ  第２指定待機開度
【図１】
2010175198.tif 000003
【図２】
2010175198.tif 000004
【図３】
2010175198.tif 000005
【図４】
2010175198.tif 000006
【図５】
2010175198.tif 000007
【図６】
2010175198.tif 000008